(57)【要約】      （修正有）【課題】装着工程が簡単で、ディスプレイ本体とＰＳ３ゲーム機を一体に結合できて、携帯や収納に便利で、どこでもビデオオーディオエンターテイメントを享受できるようにする。【解決手段】ディスプレイ本体２０をベース１０上方に装着し、ＰＳ３ゲーム機５０の円弧形構造に適合するように特殊なベース設計を採用し、ＰＳ３ゲーム機をベース下方の容納空間に容易に容置できると共に、座ベースの左右両側の二本のテープ３０，４０により固定する。【選択図】図１
0003136552.tif 000002
【実用新案登録請求の範囲】
【請求項１】
ＰＳ３ゲーム機専用ディスプレイであって、
前記ＰＳ３ゲーム機頂部の表面は上に突出した弧形を呈し、
前記ＰＳ３ゲーム機専用ディスプレイは、
ベースと、
ディスプレイ本体底側に結合するベースと、からなり、
ベース底部は、前記ＰＳ３ゲーム機頂部に対応して、下に窪んだ弧形表面であると共に、四つの周が下方に延伸して収納空間を形成していて、前記ＰＳ３ゲーム機に装着でき、前記ベースの左右両側に相互に係合する二つのテープにより、ＰＳ３ゲーム機を包囲して固定することを特徴とするＰＳ３ゲーム機専用ディスプレイ。
【請求項２】
前記二つのテープはそれぞれ弾性材質の弾性ベルトとフックを有し、前記フックは前記弾性ベルトの前端に装着されることを特徴とする請求項１に記載のＰＳ３ゲーム機専用ディスプレイ。
【請求項３】
前記二つのテープの弾性ベルトの材質はナイロンであることを特徴とする請求項２に記載のＰＳ３ゲーム機専用ディスプレイ。
【請求項４】
前記二つのテープのフックはそれぞれオスフックとメスフックであり、前記オスフックは圧縮回復可能な素子を有し、前記メスフックは係合槽を有し、前記素子の圧縮変形により前記係合槽に係入した後、回復固定し、前記オスフックとメスフックが相互に係合することを特徴とする請求項２に記載のＰＳ３ゲーム機専用ディスプレイ。
【請求項５】
前記ディスプレイ本体は前記ベースに枢設され、旋転方式で前記ベースに設置されることを特徴とする請求項１に記載のＰＳ３ゲーム機専用ディスプレイ。
【請求項６】
前記ディスプレイ本体は前記ベースの後側に枢設されることを特徴とする請求項５に記載のＰＳ３ゲーム機専用ディスプレイ。
【請求項７】
前記ディスプレイ本体の前記ベース一側にディスプレイ画面を有し、前記ディスプレイ画面を前記ベース一側に向けて収合し、前記ディスプレイ画面を保護することを特徴とする請求項１に記載のＰＳ３ゲーム機専用ディスプレイ。
【考案の詳細な説明】
【技術分野】
【０００１】
本考案は、ＰｌａｙＳｔａｔｉｏｎ３（登録商標）（以下ＰＳ３と称す）ゲーム機専用ディスプレイに関するものであって、特に、ＰＳ３ゲーム機に応用するディスプレイに関するものである。
【背景技術】
【０００２】
ゲーム機はゲームを楽しむためのツールであり、児童、青少年に広く愛され、そのマーケットは非常に大きい。
近年、世界の経済が好転するにつれ、また、ゲームと相関するソフトウェア、ハードウェア技術も向上し、市場の需要は増加し続け、各種新規のゲームも次々と登場している。
【０００３】
新世代ゲーム機において、現在、市場で注目を集めているのは、主に、マイクロソフト、ソニー、任天堂のゲーム機で、どれも、ゲーム、娯楽、インターネットの垣根を越えて、デジタル家庭用エンターティメントホストに進化している。
ソニーのプレイステーション３（ＰＳ３）ゲーム機は、ビデオオーディオ機能が整い、映画を見たり、音楽を聴いたりでき、ＰＳ３は高解像度のブルーレイディスクの読み取りをサポートし、新生代のブロードバンド家庭用ゲームであり、オンラインゲーム、音楽、映画、情報の新しいツールとなっている。
ＰＳ３ゲーム機の造型は小型で、質感がよく、各種場所に設置しやすい。また、公知のゲーム機と比較すると、更に、気軽にゲームとＤＶＤの鑑賞が楽しめる。
【０００４】
しかし、ＰＳ３ゲーム機の機台は単独では使用できず、テレビディスプレイやコンピュータディスプレイと合わせて使用しなければならず、ゲーム機の尺寸は携帯に便利なように縮小されているが、実際は、ディスプレイの制限があり、ユーザーはゲーム機が提供するビデオオーディオエンターティメントを思い通りに享受することができない。
更に、ＰＳ３ゲーム機の外観は円弧形造型で、ディスプレイを装着しにくく、ＰＳ３ゲーム機の応用にとって大きな問題となっている。
【考案の開示】
【考案が解決しようとする課題】
【０００５】
本考案は、テープ式でディスプレイ本体をＰＳ３ゲーム機上に装着し、ＰＳ３ゲーム機の構造がディスプレイを装着しにくい状況を改善し、これにより、使用者が、随時、どこでも、ＰＳ３ゲームが提供するオーディオビデオエンターティメントを享受することができるＰＳ３ゲーム機専用ディスプレイを提供することを目的とする。
【０００６】
さらに本考案は、テープ固定方式は簡単で、道具が不要で、使用上便利にできるＰＳ３ゲーム機専用ディスプレイを提供することをもう一つの目的とする。
【課題を解決するための手段】
【０００７】
上述の目的を達成するため、本考案はＰＳ３ゲーム機専用ディスプレイを提供し、主に、ベースとディスプレイ本体からなり、ベースは弧形底部の設計により、ＰＳ３ゲーム機をベース下方の容納空間に容易に容置でき、ベースの左右両側の二本のテープにより固定し、装着工程が簡単で、道具が不要であり、ディスプレイ本体はベースによりしっかりとＰＳ３ゲーム機上に結合できる。この他、ＰＳ３ゲーム機前側は凹槽を有し、前述の二本のテープはベース前端の両側に設計して、ディスプレイ本体とＰＳ３ゲーム機の結合が簡単である。本考案はＰＳ３ゲーム機の構造がディスプレイに装着しにくい状況を解決し、本考案により提供されるＰＳ３ゲーム機専用ディスプレイの全体の構造は簡潔で、装着が簡単、且つ、余分な空間を占有せず、ユーザーは随時、どこでも、ＰＳ３ゲーム機が提供するビデオオーディオエンターティメントを享受することができる。
【考案の効果】
【０００８】
本考案のＰＳ３ゲーム機専用ディスプレイにより、ＰＳ３ゲーム機の構造がディスプレイを装着しにくい状況を改善し、使用者は、随時、どこでも、ＰＳ３ゲームが提供するオーディオビデオエンターティメントを享受することができる。
【考案を実施するための最良の形態】
【０００９】
図１は本考案のＰＳ３ゲーム機専用ディスプレイの実施例の外観図である。
図のように、本実施例のＰＳ３ゲーム機専用ディスプレイは、主に、ベース１０とディスプレイ本体２０からなる。
ベース１０はディスプレイ本体２０底側を枢設し、ディスプレイ本体２０は旋転の方式でベース１０に設置され、且つ、ディスプレイ本体２０のディスプレイ画面２１は、ベース１０一側に向けて設計されて、ディスプレイ画面２１をベース１０の方に収合し、ディスプレイ画面２１が損傷するのを防止する。
本実施例のＰＳ３ゲーム機５０の円弧形外観は、ベース１０底部をＰＳ３ゲーム機５０頂部上に突出した弧形表面に適合させて、下凹する弧形表面に設計すると共に、四周から下方に開放式の容納空間１１を延伸し、ＰＳ３ゲーム機５０を容置する。
且つ、ベース１０後側は更に、ＰＳ３ゲーム機５０を包覆できる背側周縁まで延伸し、ＰＳ３ゲーム機５０の左右方向の可動空間が制限を受ける。
この他、本実施例は、更に、ＰＳ３ゲーム機５０前側の凹槽５１に適合し、ベース１０前端の左右両側に、二本の互いに係合するテープ３０、４０を設置し、テープ３０、４０により、ＰＳ３ゲーム機５０前側の凹槽５１を固定し、ＰＳ３ゲーム機５０の前後方向、及び、垂直方向の可動空間が制限を受け、これにより、ＰＳ３ゲーム機５０全体が完全にベース下方に固定される。
【００１０】
本実施例のテープ３０、４０は、それぞれ、弾性材質の弾性ベルト３１、４１と弾性ベルト３１、４１前端に装着されるフック３２、４２からなり、図２Ａと図２Ｂはテープの細部拡大図である。
本実施例の二本のテープ３０、４０の弾性ベルト３１、４１の材質はナイロンで、フック３２、４２はそれぞれ、オスフックとメスフックで、オスフックは圧縮回復可能な素子３４を有し、メスフックは係合槽３３を有し、素子３４の圧縮変形により係合槽３３を係入した後、回復固定し、その工程は、圧力を施加するだけで、オスフックがメスフック内に係入し、その他の道具が不要で、非常に簡単、便利である。
【００１１】
図３Ａと図３Ｂは、それぞれ、本考案のＰＳ３ゲーム機専用ディスプレイの実施例をＰＳ３ゲーム機に組み合わせる際の開閉状況を示す図である。
本考案のＰＳ３ゲーム機専用ディスプレイは、ＰＳ３ゲーム機５０の円弧形構造のベース１０に適合させることにより、ＰＳ３ゲーム機５０を容納し、ベース１０上の二本のテープ３０、４０の固定により、ディスプレイ本体２０はベース１０によりＰＳ３ゲーム機５０上に結合し、その全体構造は簡潔で、空間を占有せず、且つ、固定方式は簡単で、余分な道具が不要で、使用上も簡単で、公知のＰＳ３ゲーム機５０のテレビディスプレイやコンピュータディスプレイを装着する際の使用空間と地点の制限の問題を回避する。
【００１２】
更に、本実施例のＰＳ３ゲーム機専用ディスプレイとＰＳ３ゲーム機５０の結合により、実務上、スピーカー孔５２をベース１０表面に設置し、多数の調整ボタンと挿入孔５３をベース１０側面に増設し、使用者が操作しやすい（図３Ａを参照）。
本実施例のベース１０の設計はＰＳ３ゲーム機５０の散熱孔５４を遮ることなく、ＰＳ３ゲーム機５０の散熱に影響しない（図３Ｂを参照）。
【００１３】
本考案が提供するＰＳ３ゲーム機専用ディスプレイは、ＰＳ３ゲーム機自身の円弧形外観構造により、ディスプレイ本体を装着するベースが簡単にＰＳ３ゲーム機を収納し、テープ方式によりＰＳ３ゲーム機を固定し、ＰＳ３ゲーム機の構造がディスプレイを装着しにくい状況を改善する。
つまり、本考案の構造は簡単で、携帯に便利で、使用者がスムーズに各種場所に設置して、ＰＳ３ゲーム機が提供するビデオオーディオエンターティメントを享受でき、別にテレビディスプレイやコンピュータディスプレイを必要とせず、また、体積の制限を設けずに、使用者にとって便利である。
【００１４】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１５】
【図１】本考案によるＰＳ３ゲーム機専用ディスプレイの実施例外観図である。
【図２Ａ】本考案のＰＳ３ゲーム機専用ディスプレイの実施例のテープの細部拡大図である。
【図２Ｂ】本考案のＰＳ３ゲーム機専用ディスプレイの実施例のテープの細部拡大図である。
【図３Ａ】本考案のＰＳ３ゲーム機専用ディスプレイの実施例をＰＳ３ゲーム機に組み合わせる際の開閉状況を示す図である。
【図３Ｂ】本考案のＰＳ３ゲーム機専用ディスプレイの実施例をＰＳ３ゲーム機に組み合わせる際の開閉状況を示す図である。
【符号の説明】
【００１６】
１０  ベース
１１  容納空間
２０  ディスプレイ本体
２１  ディスプレイ画面
３０、４０  テープ
３１、４１  弾性ベルト
３２、４２  フック
３３  係合槽
３４  素子
５０  ＰＳ３ゲーム機
５１  凹槽
５２  スピーカー孔
５３  調整ボタンと挿入孔
５４  散熱孔
【図１】
0003136552.tif 000003
【図２Ａ】
0003136552.tif 000004
【図２Ｂ】
0003136552.tif 000005
【図３Ａ】
0003136552.tif 000006
【図３Ｂ】
0003136552.tif 000007